(57)【要約】【課題】釣糸の糸落ちを効果的に防止して快適な巻き取り操作を行うことができる魚釣用スピニングリールを提供すること。【解決手段】軸方向に沿って前後動するスプール５０内に出入りするロータボディ６２と、このロータボディ６２の後端側から延出する腕部７０と、この腕部７０に設けた釣糸案内部７２ａとを有するロータ６０を備え、リール本体１２に設けたハンドル３２を介してロータ６０を回転駆動することにより、この腕部７０に設けた釣糸案内部７２ａを介してスプール５０に釣糸を巻回する魚釣用スピニングリール１０であって、前記ロータボディ６２の前部に、周方向に沿って複数の凹部８２と複数の凸部８４とを配置した凹凸外周部Ｃを形成した魚釣用スピニングリール。【選択図】    図１
2012016355.tif 000002
【特許請求の範囲】
【請求項１】
軸方向に沿って前後動するスプール内に出入りするロータボディと、このロータボディの後端側から延出する腕部と、この腕部に設けた釣糸案内部とを有するロータを備え、リール本体に設けたハンドルを介してロータを回転駆動することにより、この腕部に設けた釣糸案内部を介してスプールに釣糸を巻回する魚釣用スピニングリールであって、
前記ロータボディの前部に、周方向に沿って複数の凹部と複数の凸部とを配置した凹凸外周部を形成したことを特徴とする魚釣用スピニングリール。
【請求項２】
前記凸部の前側先端部に、径方向外方に突出する突起を有する請求項１に記載の魚釣用スピニングリール。
【請求項３】
前記ロータボディは、駆動軸に結合される連結壁部に、前記凹部と軸方向に整合する貫通孔を有する請求項１に記載の魚釣用スピニングリール。
【請求項４】
前記ロータボディは、後端側に、径方向開口部を有する請求項１から３のいずれか1つに記載の魚釣用スピニングリール。
【発明の詳細な説明】
【技術分野】
【０００１】
本発明は、リール本体に設けたハンドルを介して、釣糸案内部を有するロータを回転駆動し、スプールに釣糸を巻回する魚釣用スピニングリールに関する。
【背景技術】
【０００２】
通常、魚釣用スピニングリールは、ハンドル操作に連動してロータを回転駆動し、このロータの回転と連動して軸方向に沿って前後動するスプールに、ロータに設けた釣糸案内部を介して釣糸を巻回するものである。このようなスピニングリールは、糸巻容量の増大や釣糸放出性の向上を目的としてスプールのロングストローク化が図られており、このために、後方に開口するスプールの空間部内に、ロータの前部に形成した円筒部を深く嵌入し、スプールを外部に露出させて配置する、いわゆるアウトスプール型のスピニングリールが主流となっている。
【０００３】
そして、このようなスプール内に配置されるロータの円筒部を、径方向壁部を介して回転駆動軸に連結し、この径方向壁部よりも後方側の後方円筒部に、釣糸を案内するベールおよび釣糸案内部を先端部に配置する一対の腕部の基部を径方向に対向させて突設し、前方側の前方円筒部を、前方に向けて拡径させた逆テーパ形状に形成し、この前方円筒部の前端部に環状鍔部を形成することにより、スプールの後方側の開口から内側に入り込んだ釣糸が、スプールを前後動するスプール軸に巻き込まれるのを防止する魚釣用スピニングリールが開発されている（例えば特許文献１参照）。
【先行技術文献】
【特許文献】
【０００４】
【特許文献１】特開２００２−１５３１７３号公報
【発明の概要】
【発明が解決しようとする課題】
【０００５】
このような魚釣用スピニングリールは、ロータの前方円筒部が前方に開口しかつ径方向壁部が底壁を形成する有底円筒状構造を有し、また、スプールが、後方に開口する有底円筒状構造に形成されることにより、スプール内をロータの円筒部が前後に往復動する際に、このスプールとロータの円筒部との間における空気のこもりあるいは滞留等に起因する空気抵抗、異音等の現象が発生する。このため、快適な巻き取り操作性が低下する。
【０００６】
また、巻き取り操作時における釣糸の張力変化、糸フケ、糸撚れ等が生じると、これに誘発されて、スプール後方から内側の円筒部側に釣糸が侵入し、スプールを往復動するスプール軸に絡み付く、いわゆる糸落ちによる糸絡み現象が生じ易く、上述の前方円筒部の逆テーパ形状および前端部に環状鍔部では、前方円筒部の外周部の一部で釣糸を掛止させることが可能であるとしても、糸撚れ現象が発生し、更に、落ち込む向きが一定していない釣糸の糸落ちを効果的に防止することはできない。
【０００７】
本発明は、このような事情に基づいてなされたもので、釣糸の糸落ちを効果的に防止して快適な巻き取り操作を行うことができる魚釣用スピニングリールを提供することを目的とする。
【課題を解決するための手段】
【０００８】
上記目的を達成する本発明の魚釣用スピニングリールは、軸方向に沿って前後動するスプール内に出入りするロータボディと、このロータボディの後端側から延出する腕部と、この腕部に設けた釣糸案内部とを有するロータを備え、リール本体に設けたハンドルを介してロータを回転駆動することにより、この腕部に設けた釣糸案内部を介してスプールに釣糸を巻回する魚釣用スピニングリールであって、前記ロータボディの前部に、周方向に沿って複数の凹部と複数の凸部とを配置した凹凸外周部を形成したことを特徴とする。
【０００９】
前記凸部の前側先端部に、径方向外方に突出する突起を有することが好ましい。
【００１０】
また、前記ロータは、駆動軸に結合される壁部に、前記凹部と軸方向に整合する貫通孔を有することが好ましい。
【００１１】
更に、前記ロータボディは、後端側に、径方向開口部を有するものであってもよい。
【発明の効果】
【００１２】
このような魚釣用スピニングリールによると、ロータの凹凸外周部に形成された複数の凹部が、スプールが前後動する際に、スプールの内側と外側とに空気を自由に出入りさせることで、スプール内の空気のこもりあるいは滞留による空気抵抗や異音の発生を防止し、更に、複数の凹部と凸部とが釣糸の係止機能を形成することにより、あらゆる向きからの糸落ちを防止し、これにより、釣糸の糸落ちを効果的に防止して快適な巻き取り操作を行うことができる魚釣用スピニングリールが提供される。
【００１３】
凸部の前側先端部に、径方向外方に突出する突起を形成した場合には、この突起が釣糸を係止し、これにより糸落ちを確実に防止する。
【００１４】
また、ロータボディが、駆動軸に結合される連結壁部に、前記凹部と軸方向に整合する貫通孔を有する場合には、このロータボディ内に侵入した水等の異物をこれらの貫通孔および凹部を介して外部に排出することができ、このロータボディ内に配置された部材の腐食あるいは機能低下を防止することができる。
【００１５】
更に、ロータボディが後端側に径方向開口部を有する場合には、ロータボディの前部から後部にわたって好適な通気性が得られ、水分や空気の内部滞留が確実に防止され、釣行後の水洗い等の整備作業を容易かつ簡単に行うことができる。
【図面の簡単な説明】
【００１６】
【図１】本発明の好ましい実施形態による魚釣用スピニングリールの部分断面図。
【図２】図１のＩＩ−ＩＩ線で囲んだ部分の拡大図。
【図３】図１のロータボディを前方から見た図。
【図４】図１の魚釣用スピニングリールのロータの斜視図。
【図５】他の実施形態による魚釣用スピニングリールの図１と同様な図。
【発明を実施するための形態】
【００１７】
図１から図４は、本発明の好ましい実施形態による魚釣用スピニングリール１０を概略的に示す。
【００１８】
図１に示すように、魚釣用スピニングリール１０は、剛性構造のリールボディ１２ａの側部開口１４ａを蓋体１２ｂで閉塞したリール本体１２を備え、この蓋体１２ｂの固定ネジ１６を取外すことで、内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。この魚釣用スピニングリール１０は、通常と同様に、リールボディ１２ａから上方に延出する脚部（図示しない）を介して釣竿に取り付けられる。
【００１９】
リール本体１２内には、通常のスピニングリールと同様に、後述するロータを駆動するための中空駆動軸２２を回転駆動する駆動機構２４およびこの中空駆動軸２２内に挿通されたスプール軸２６をこの軸方向に沿って一定のストロークで前後方向に往復動する公知のオシレーティング機構が収容されており、このオシレーティング機構の摺動子２８が止めネジ３０でスプール軸２６の後端部に固定されている。これらの駆動機構２４およびオシレーティング機構は、一端にハンドル３２が連結されるハンドル軸３４により、互いに同期して作動される。
【００２０】
本実施形態のハンドル軸３４は中空構造を有し、それぞれリールボディ１２ａと蓋体１２ｂとに設けられた軸受３６ａ，３６ｂを介してリール本体１２で回転自在に支持されている。このハンドル軸３４には、後述する駆動歯車３４ａが一体に形成される。このハンドル軸３４の両端部には、雌ネジを形成してあり、一方の端部に、ハンドル３２に基端部を枢着ピン３８で枢着されたネジ部材４０の先端部が螺合することで装着される。したがって、ハンドル軸３４は軸受３６ａ，３６ｂと共にハンドル装着部を形成する。
【００２１】
このハンドル３２を装着するためのネジ部材４０は、スタンド部材４２に挿通されており、ハンドル３２を介してハンドル軸３４内に締付けられると、スタンド部材４２の内周側突条４２ａがハンドル軸３４の端面に当接し、ネジ部材４０の締付け力で、ハンドル３２およびスタンド部材４２をハンドル軸３４に強固に固定する。スタンド部材４２は、ハンドル３２をリール本体１２から離隔させ、後述するロータとの干渉を防止しつつ自由に回転可能とする。また、この内周側突条４２ａの外周側に配置した外周側突条４２ｂは、リール本体１２から突出する環状突起１３ａを僅かな間隙を介して囲み、リール本体１２の内部空間Ｓ内に異物が侵入するのを防止する。
【００２２】
このネジ部材４０を緩め、スタンド部材４２とハンドル３２との間に間隙を形成すると、枢着ピン３８を中心としてハンドル３２を回転し、持運びあるいは保管に便利な折り畳み状態とすることができる。この折り畳み状態からハンドル３２を介してネジ部材４０をハンドル軸３４内に締め込むとことで簡単に、釣糸巻取り状態に復帰させることができる。
【００２３】
また、ハンドル軸３４の反対側には、蓋体１２ｂに形成した環状突起１３ｂを囲む軸受キャップ４４を取り付けてあり、異物の侵入が防止されている。この軸受キャップ４４を取り外して、ハンドル３２およびスタンド部材４２を取付けることにより、ハンドル３２をリール本体１２の一側から他側に自由に付け換えることができる。いずれの場合も、釣糸巻回方向にネジ部材４０を締め付けることにより、ハンドル３２とハンドル軸３４とが一体化され、釣糸巻取り状態とすることができる。
【００２４】
リール本体１２の内部空間Ｓ内では、ハンドル軸３４と一体に形成された駆動歯車３４ａと共に駆動機構２４を形成するピニオン２２ａが、ハンドル軸３４と直交する方向に延設された駆動軸２２の外周部に形成されており、このピニオン２２ａは駆動歯車３４ａと常時噛合した状態に配置されている。このピニオン２２ａを形成した中空駆動軸２２は、ハンドル軸３４の軸受３６ａ，３６ｂを配置したハンドル装着部から前方に突出する前部内で前方に延び、ハンドル軸３４に近接した後端側が軸受４６ａを介してリール本体１２で支えられ、前方部位を、リール本体１２の前部内に配置した軸受４６ｂを介して支えられ、前端側がこの前部から突出し、リール本体１２に対して自由に回転することができる。この中空駆動軸２２は、軸方向に貫通する内孔内に、先端部にスプール５０を装着するスプール軸２６を前後方向に摺動自在に案内する。
【００２５】
このスプール軸２６は、中空駆動軸２２の先端側から突出する先端部に断面非円形部２６ａと、ネジ部２６ｂとを順に形成してあり、この断面非円形部２６ａにストッパ４８ａを介して装着されたスプール５０が、袋ナット状に形成した締付けネジ４８ｂにより、スプール軸２６の先端部に取外し可能に装着される。
【００２６】
本実施形態では、ストッパ４８ａは断面非円形部２６ａに対応した挿通孔を有する板状に形成してあり、この断面非円形部２６ａの後端部に回り止めされた状態で係止され、後方すなわちリール本体１２側への移動を阻止されている。そして、スプール５０は、円筒状あるいはテーパ状の周面を有する胴部５２の前後に、径方向外方に突出するフランジ部５２ａ，５２ｂを形成し、この胴部５２の前端側を閉じる前壁部５４の中央部から、後方の開口側に向けて、短軸部５６が突出する。
【００２７】
この短軸部５６には、断面非円形部２６ａに対応する断面形状を有する挿通孔が軸方向に貫通しており、この断面非円形部２６ａ上で回り止めされた状態でスプール軸２６に装着され、締め付けネジ４８ｂをネジ部２６ｂに締付けることにより、ストッパ４８ａに締付けられ、固定される。
【００２８】
また、短軸部５６が配置される前壁部５４には、短軸部５６を囲んで、多数の軸方向貫通孔５５を等間隔に形成してある。これらの貫通孔５５は、スプール５０を軽量化すると共に、魚釣り操作時の空気抵抗を小さくする構造に形成してあり、外方に開口する後端側には、釣糸が内部に入り込むのを防止するスカートあるいは内側フランジ部５８が形成される。なお、胴部５２に、周方向に沿って多数の凹溝を形成してもよく、この場合には、スプール５０に巻き取った釣糸が移動して緩むのを防止することができる。
【００２９】
このスプール５０をスプール軸２６に取付ける締付けネジ４８ｂは、釣糸が引っ掛かるのを防止するために、前壁部５４からの突出量をできる限り小さくし、また、その周部は可能な限り滑らかな外面で形成することが好ましい。
【００３０】
スプール５０に釣糸を巻回するロータ６０は、スプール５０が軸方向に沿って前後動するときに、後方開口端を介してこのスプール５０内に出入りするロータボディ６２を有する。このロータボディ６２は後方に開口する後方凹部６２ａと前方に開口する前方凹部６２ｂとを有し、リール本体１２の前方部位を囲む周壁部６４の前端部で径方向に延びる連結壁部６６に設けた筒状の駆動部６８を介して、中空駆動軸２２に連結される。更に、ロータ６０は、周壁部６４の後方開口端すなわちハンドル軸３４側の径方向に対向した部位から延出する一対の腕部７０，７０有する。これらの腕部７０，７０は、周壁部６４の後方開口端から前方に向けてスプール軸２６の軸方向に沿って先細状に延び、ロータボディ６２との間に、スプール５０の胴部５２を受け入れる間隙を形成する。
【００３１】
これらの腕部７０，７０の先端部に取付けられたベール７２は、図１に示す釣糸巻取位置と図示しない釣糸放出位置との間を自在に反転することができる。このベール７２の一方の端部は、釣糸案内部７２ａを装着した支持脚７３を介して腕部７０に取り付けられ、一部を概略的に示す振り分けバネ機構７４により、釣糸巻取位置と釣糸放出位置との一方に保持され、ハンドル３２を釣糸巻回方向に反転後、ベール７２を手動操作で釣糸巻取位置へ復帰させたり、図示しない反転復帰機構により、釣糸巻取位置へ自動復帰される。
【００３２】
また、ロータボディ６２の周壁部６４は、前端側を連結壁部６６で閉じ、後方凹部６２ａ内に駆動部６８を収容し、軸方向の中間部位の屈曲部６４ａを挟んで、前方よりも後方側でより大きな角度で径方向外方に向けて拡径する。この周壁部６４の後方開口端に隣接する部位には、この周壁部６４を径方向に貫通する径方向開口部６３（図４参照）が形成されており、この径方向開口部６３は、周壁部６４の後方開口端から屈曲部６４ａを超えて連結壁部６６側の位置まで、開口幅を狭めつつ軸方向に沿って延びる。
【００３３】
このロータ６０の連結壁部６６には、駆動部６８の周部に沿って軸方向貫通孔６５を形成してあり（図３）、この連結壁部６６の前方側に、周壁部６４と共にロータボディ６２を形成する前方円筒部７６が固定され、例えば、スプール５０の後方から内側に落込んだ釣糸がスプール軸２６に巻き込まれるのを防止する。
【００３４】
図２および図３に拡大して示すように、この前方円筒部７６は、連結壁部６６の前端面に載置される装着壁部７８と、この装着壁部７８から前方に延びる円筒状壁８０とを有する。この円筒状壁８０は、装着壁部７８で後端側を閉じられ、前方凹部６２を前方に開口する。
【００３５】
この前方円筒部７６の底壁を形成する装着壁部７８には、スプール軸２６および駆動軸２２を挿通する挿通孔７８ａを形成してあり、この装着壁部７８を介して固定ネジ６７で連結壁部６６に固定される。この挿通孔７８ａの内周面は多角形状に形成してあり、後述する締付けナットの回り止めを行うことができる。また、円筒状壁８０の内周面から鍔部７８ｂを突出させ、この締付けナットと挿通孔７８ａとの間に異物が侵入するのを防止することが好ましい。
【００３６】
前方円筒部７６の円筒状壁８０は、スプール５０が後方に移動したときに、スプール５０あるいはこのスプール５０を支えるストッパ４８ａと干渉しないように、前方凹部６２ｂの内径をストッパ４８ａよりも大径に形成してあり、その外周部には、周方向に沿って複数の凹部８２と複数の凸部８４とを交互に形成してある。これらの凹部８２と凸部８４とはロータボディ６２の前部に凹凸外周部Ｃを形成し、この凹凸外周部Ｃを形成する複数の凹部８２と凸部８４とが釣糸の係止機能を形成することにより、あらゆる向きからの糸落ちを防止する。
【００３７】
本実施形態の凸部８４は、円筒状部８０の周部に沿って略等間隔に配置した羽根状に形成してあり、軸方向および径方向に延び、その間に凹部８２を形成する。図示の実施形態では、放射状に配置した８つの羽根状の凸部８４と、これらの凸部８４間に配置された８つの凹部８２とを形成してある。これにより、様々な向きから侵入した釣糸が凸部８４の側面や角部に引っかかり易くなり、そして、弛んだ釣糸を凹部８２内に保持することにより、スプール５０の後方側の開口から内側に入り込んだ釣糸の内側への糸落ちによる糸絡み現象を効果的に防止することができる。これらの凸部８４および凹部８２の数および形状は、適宜に変更することが可能である。
【００３８】
各凸部８４は、外周側縁部は逆テーパ状すなわち後方に向けてスプール軸２６側に縮径する傾斜面で形成し、釣糸が更に前方側に移動するのを防止してある。また、各凸部８４の前側先端部に、径方向外方に突出する突起８６を設けてあり、この突起８６により、釣糸を係止し、これにより糸落ちを更に確実に防止することができる。
【００３９】
なお、図４には、明瞭にするために凸部８４および突起８６の外周側縁部を平坦面で形成してあるが、接触した釣糸が損傷するのを防止するために、図３に示すような湾曲面で形成することが好ましい。
【００４０】
図３に示すように、前方円筒部７６の外周側に形成された凹部８２は、軸方向に延び、各凹部８２と軸方向に整合する貫通孔６５が連結壁部６６に形成してあり、更に、スプール５０の前壁部５４に形成した貫通孔５５もこれらの凹部８２および貫通孔６５と軸方向に整合した状態に配置することができる。これらの凹部８２および貫通孔６５，５５は、スプール５０が前後動する際に、スプール５０の内側と外側とに空気を自由に出入りさせることで、スプール５０のスカート５８とロータボディ６２の周壁部６４との間の間隙が小さい場合であっても、スプール５０内の空気のこもりあるいは滞留による空気抵抗や異音の発生を防止する。また、ロータボディ６２の前方円筒部７６および周壁部６４内に侵入した水等の異物をこれらの貫通孔６５，５５および凹部８２を介して外部に排出することができ、このロータボディ６２内に配置された、後述するシール部材等の腐食あるいは機能低下を防止することができる。
【００４１】
図４に最も良く示すように、本実施形態のロータボディ６２は、４つの径方向開口部６３が、周壁部６４の後方開口端に隣接した部位で径方向に対向させて形成してあり、各腕部７０にも周壁部６４の径方向開口部６３に対応した径方向開口部７１が形成してある。この腕部７０の径方向開口部７１は、周壁部６４の径方向開口部６３と径方向に整合した位置に配置されており、後方に向けて開口する。したがって、腕部７０に形成した径方向開口部７１は、周壁部６４の対応する径方向開口部６３と連続した開口部を形成する。これにより、いずれの径方向開口部６３，７１も、内部に配置したリール本体１２の前部８８を外部に大きく露出し、この径方向開口部６３，７１を介して、外部から例えば蓋体１２ｂの固定ネジ１６を締付けあるは取外すことができる。
【００４２】
一方、周壁部６４の腕部７０，７０間に形成された２つの径方向開口部６３の内の一方は、弧状の連結片６９をその後端部に設けてあり、この周壁部６４と一体形成される部位によって、ベール７２および釣糸案内部７２ａ等のアンバランス部材に対するバランス化を図り、ロータ６０を滑らかに回転させることができる。リール本体１２から突出する軸受キャップ４４及びハンドル軸３４に連結するスタンド部材４２を、リール本体１２の前部８８にフランジ部が形成されていないので、従来のような形状的な制約が少なくなり、ロータ６０の後端部の極近接する位置まで、ロータ６０の凹部６２内にリール本体１２の前部８８を挿入することが可能となり、魚釣用スピニングリール１０の軸方向寸法を可級的に短くすることができる。
【００４３】
図１に示すように、このように形成されるロータ６０の後方凹部６２ａ内に挿入されるリール本体１２の前部８８は、前方に向けて、上下方向の寸法が次第に減少する。なお、本明細書中で、リール本体１２の前部８８は、特に限定した場合を除き、ハンドル装着部すなわちハンドル軸３４を支える軸受３６ａ，３６ｂを配した部位よりもロータ６０側の前部に配置されるリールボディ１２ａおよび蓋体１２ｂの部分を指す。
【００４４】
このリール本体１２の前部８８内では、中空駆動軸２２のピニオン２２ａよりも前方部位が、断面非円形の外面形状を有してロータ６０の駆動部６８を回り止め嵌合する作動部２２ｂとして形成してあり、この作動部２２ｂの後端部に、前側軸受４６ｂであるボール軸受が装着される。
【００４５】
更に、この筒状の前部８８内では、図２に拡大して示すように、軸受４６ｂの前方にスペーサ９０を介して一方向クラッチ９２を装着し、押え板９４とリテーナ９６との間に介挿したシール部材９８をリールボディ１２ａの先端面に固定する止めネジ１００により、前方に抜出るのを防止している。これらの軸受４６ｂおよび一方向クラッチ９２は、リールボディ１２ａの内面側に形成された段部で、外周側後端部を係止し、後方への移動を阻止される。したがって、前部８８の先端部すなわち軸受４６ｂおよび一方向クラッチ９２を収容する部位は、前部８８内で、中空駆動軸２２を軸方向移動を阻止しつつ回転自在に支える。
【００４６】
なお、この前部８８に配置された一方向クラッチ９２は、リール本体の後端部に配置した公知の操作レバーＬ（図示しない）を切換操作することにより、釣糸繰り出し方向への中空駆動軸２２、つまりロータ６０の逆回転を阻止する逆転防止位置と、正回転および逆回転を許容する規制解除位置とに自由に切換えることができる。
【００４７】
図２に示すように、シール部材９８は、環状のリテーナ９６で押圧される環状の基部９８ａの内周側から前方かつ半径方向内方に向けて傾斜した状態に延びるリップ部９８ｂを有する環状の板状に形成されている。このリップ部９８ｂは、先端すなわち内周側に向けて肉厚が次第に減少し、内周縁部は丸められている。これにより、リップ部９８ｂがどの位置にあっても、相手方のロータ６０の駆動部６８の外周面に損傷を与えることなくわずかに内周が拡開変形して弾性的にシール係合する。これにより、前部８８の内部が密封される。
【００４８】
このシール部材９８が駆動部６８の周囲すなわち外周面に摺接係合する駆動部６８の後方部６８ａは、外部の圧力で内方に湾曲してシール効果が低下するのを防止するため、駆動部６８の前方部６８ｂより段部６８ｃを介して小径に形成されている。また、このシール部材９０は駆動部６８の外周面との間に好適なシール効果を形成するものであれば適宜材料の弾性材で形成することができるが、ゴム製の材料で形成することが好ましい。いずれの場合も、シール部材９８は、径方向開口部６３よりも連結壁部６６側に配置し、スプール５０が前方に移動した場合であっても、径方向開口部６３を介して外部に露出させないことが好ましい。
【００４９】
この魚釣用スピニングリール１０は、リール本体１２からスプール５０およびロータ６０を簡単に分離し、必要な整備を行うことができ、再度組立てる場合は次のように行う。
【００５０】
まず、リール本体１２の前部８８に、ロータボディ６２の後方凹部６２ａを被せ、前部８８の先端から突出する中空駆動軸２２の作動部２２ｂに、後方凹部６２ａ内に突出する駆動部６８を装着し、この駆動部６８の外周にシール部材９８のリップ部９８ｂをシール係合させる。この操作は、ロータボディ６２に径方向開口部６３および貫通孔６５が形成されていることにより、外部から目視しつつ簡単に行うことができる。そして、締付けナット１０２を作動部２２ｂの先端に形成したネジ部（図示せず）に螺合し、この締付けナット１０２を締め込むことにより、駆動部６８の後端面でスペーサ９０の先端面を押圧させ、ロータ６０と中空駆動軸２２とを一体的に結合する。
【００５１】
ロータ６０を中空駆動軸２２の作動部２２ｂに固定した後、ロータボディ６２の前方円筒部７６の装着壁部７８を連結壁部６６の先端面に載置し、挿通孔７８ａの内周面で締付けナット１０２の角部に係合させ、固定ネジ６７で固定する。挿通孔７８ａの内周面に、締付けナット１０２の角部よりも多い、例えば２倍の角部を形成してあるため、締付けナッド１０２の回動位置を固定ネジ６７に対して容易に整合させることができる。
【００５２】
この後、ストッパ４８ａをスプール軸２６の断面非円形部に装着し、スプール５０を、後端側開口部から、ロータボディ６２の前方円筒部７６および周壁部６４を受入れつつ、ロータボディ６２と腕部７０との間の間隙内に胴部５２を挿入し、短軸部５６をストッパ４８ａに当接させ、ネジ部２６ｂに締付けネジ４８ｂを締付け、このスプールをスプール軸２６に固定することで、魚釣用スピニングリール１０の組立てが完了する。
【００５３】
この魚釣用スピニングリール１０によると、ロータボディ６２の後方凹部６２ａ内に配置された駆動部６８が、リール本体１２内の駆動機構２４で駆動される中空駆動軸２２に一体的に連結され、この駆動部６８の周囲と、中空駆動軸２２を回転自在に支える前部８８の先端部との間に配置されたシール部材９８が、リール本体１２の前部８８内を密封することにより、異物の侵入する隙間がなくなり、リール本体１２の前部８８の防水および防塵が確実に図られる。これにより、このロータ６０の凹部６２の後方開口端を閉塞するための従来のフランジ部をリール本体１２に設ける必要がなく、リール本体１２の前部８８をフランジレス構造に形成し、魚釣用スピニングリールの軽量・小型化が可能となる。
【００５４】
そして、魚釣り操作中は、ロータボディ６２の凹凸外周部Ｃに形成された複数の凹部８２が、スプール５０がスプール軸２６と共に前後動する際に、スプール５０の内側と外側とに空気を自由に出入りさせることで、スプール５０内の空気のこもりあるいは滞留による空気抵抗や異音の発生を防止し、更に、複数の凹部８２と凸部８４とが釣糸の係止機能を形成することにより、あらゆる向きからの糸落ちを防止し、これにより、例えば釣糸に作用する張力の変動、風などの影響による釣糸の糸落ちを効果的に防止して快適な巻き取り操作を行うことができる。
【００５５】
また、ロータボディ６２の連結壁部６６に形成した貫通孔６５は、凹部８２と軸方向に整合することにより、凹部８２を介する空気の流れを阻害せず、更に、後方凹部６２ａあるいは径方向開口部６３を介して周壁部６４内に侵入した水等の異物をこれらの貫通孔６５および凹部８２を介して外部に排出することができ、この周壁部６４内に配置されたシール部材９８の腐食あるいは機能低下を防止することができる
更に、ロータボディ６２の周壁部６４に形成された径方向開口部６３は、ロータボディ６３の前部から後部にわたって好適な通気性を形成し、水分や空気の内部滞留を確実に防止し、釣行後の水洗い等の整備作業を容易かつ簡単なものとする。例えば、後方凹部６２ａ内に浸入した海水、砂、塵埃等の異物を、外部からシャワー等で洗浄し、径方向開口部６３，７１および貫通孔５５，６５を介して容易に洗い流すことができ、これにより、通気性も良くなり、内部に水分、異物等の滞留もなくなり、腐食の誘発や機能部材の作動不良を防止できる。
【００５６】
また、リール本体１２の前部８８のフランジレス構造に加えて更に、ロータボディ６３の周壁部６４が後方開口端側で拡径していることにより、リール本体１２の前部８８をハンドル軸３４に近接する位置まで後方凹部６２内に配置した場合であっても、リール本体１２の側部に突設する例えば蓋体１２ｂに取付けられる軸受キャップ４４の外周部がロータ６０と干渉することがなく、したがって、軸方向寸法を短く形成することができる。また、ロータ６０の周壁部６４および腕部７０に径方向開口部６３，７１が形成され、更に、前壁部６６には貫通孔６５が形成されていることにより、ロータ６０が軽量化され、小さな力でも効率よく回転することができる。また、スプール５０の前壁部５４に形成した貫通孔５５も軽量化を促進する。
【００５７】
図５は、前方円筒部７６と周壁部６４とを一体構造に形成した魚釣用スピニングリール１０Ａの実施形態を示す。この魚釣用スピニングリール１０Ａは、ロータボディ６３の全体が一体構造に形成されている点でのみ上述の実施形態と相違しており、したがって、上述の実施形態と同様な主要部位に同様な符号を付してその詳細な説明を省略する。
【００５８】
この実施形態では、ロータボディ６２が周壁部６４と前方円筒部７６とを一体に形成してあり、締付けナット１０２により、駆動軸２２の作動部２２ｂに締付け固定される。
【００５９】
このロータボディ６２の前部に凹凸外周部Ｃを形成する凸部１０４は、上述の実施形態における矢羽根状に形成された凸部８４と異なり、矩形の板状に形成してある。これらの隣接する凸部１０４間に、空気を出入りさせたり水等の異物の排出を容易とする凹部８４が、周方向に沿ってほぼ均等に配置される。
【００６０】
この実施形態の魚釣用スピニングリール１０Ａにおいても、ロータボディ６２の駆動部６８の周囲と、リール本体１２の前部８８との間に配置されたシール部材９８が、リール本体１２の前部８８内を密封することにより、リール本体１２内に異物の侵入する隙間がなくなり、リール本体１２の前部８８の防水および防塵が確実に図られる。これにより、このロータ６０の後方凹部６２ａの後方開口端を閉塞するための従来のフランジ部をリール本体１２に設ける必要がなく、リール本体１２の前部８８をフランジレス構造に形成し、魚釣用スピニングリールの軽量・小型化が可能となる。
【００６１】
更に、上述の実施形態と同様に、ロータボディ６２の凹凸外周部Ｃに形成された複数の凹部８２が、スプール５０およびスプール軸２６の前後動の際に、スプール５０の内側と外側とに空気を自由に出入りさせることで、スプール５０内の空気のこもりあるいは滞留による空気抵抗や異音の発生を防止し、更に、複数の凹部８２と凸部１０４とが釣糸の係止機能を形成することにより、あらゆる向きからの糸落ちを防止し、これにより、例えば釣糸に作用する張力の変動、風などの影響による釣糸の糸落ちを効果的に防止して快適な巻き取り操作を行うことができる。そして、凹部８２および貫通孔６５により、ロータボディ６２の後方凹部６２ａ内の好適な通気性を維持し、内部に水分、異物等の滞留もなくなり、腐食の誘発や機能部材の作動不良を防止できる。
【００６２】
また、前方円筒部７６が周壁部６４と一体に形成されることにより、前方円筒部７６を固定するための装着壁部が不要で、更に軽量化することができる。
【００６３】
なお、図５の実施形態の凸部１０４にも、上述の実施形態における突起８６のような釣糸を係止する部材をあるいは部分を設けてもよい。
【符号の説明】
【００６４】
１０…魚釣用スピニングリール、３２…ハンドル、５０…スプール、６０…ロータ、６２…ロータボディ、８２…凹部、８４，１０４…凸部、７２ａ…釣糸案内部、Ｃ…凹凸外周部。
【図１】
2012016355.tif 000003
【図２】
2012016355.tif 000004
【図３】
2012016355.tif 000005
【図４】
2012016355.tif 000006
【図５】
2012016355.tif 000007
【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
軸方向に沿って前後動するスプール内に出入りするロータボディと、このロータボディの後端側から延出する腕部と、この腕部に設けた釣糸案内部とを有するロータを備え、リール本体に設けたハンドルを介してロータを回転駆動することにより、この腕部に設けた釣糸案内部を介してスプールに釣糸を巻回する魚釣用スピニングリールであって、
前記ロータボディは、後方開口端に隣接する部位に、径方向開口部を有することを特徴とする魚釣用スピニングリール。
【請求項２】
前記径方向開口部は、周壁部の後方開口端から開口幅を狭めつつ軸方向に沿って延びる、請求項１に記載の魚釣用スピニングリール。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、このような事情に基づいてなされたもので、快適な巻き取り操作を行うことができる魚釣用スピニングリールを提供することを目的とする。
【手続補正４】
【補正対象書類名】明細書
【補正対象項目名】０００８
【補正方法】変更
【補正の内容】
【０００８】
上記目的を達成する本発明の魚釣用スピニングリールは、軸方向に沿って前後動するスプール内に出入りするロータボディと、このロータボディの後端側から延出する腕部と、この腕部に設けた釣糸案内部とを有するロータを備え、リール本体に設けたハンドルを介してロータを回転駆動することにより、この腕部に設けた釣糸案内部を介してスプールに釣糸を巻回する魚釣用スピニングリールであって、前記ロータボディは、後方開口端に隣接する部位に、径方向開口部を有することを特徴とする。
【手続補正５】
【補正対象書類名】明細書
【補正対象項目名】０００９
【補正方法】変更
【補正の内容】
【０００９】
前記径方向開口部は、周壁部の後方開口端から開口幅を狭めつつ軸方向に沿って延びることが好ましい。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】変更
【補正の内容】
【００１２】
このような魚釣用スピニングリールによると、ロータボディの周壁部に形成された径方向開口部は、ロータボディの前部から後部にわたって好適な通気性を形成し、水分や空気の内部滞留を確実に防止し、釣行後の水洗い等の整備作業を容易かつ簡単なものとする。また、ロータが軽量化され、小さな力でも効率よく回転することができる。
【手続補正９】
【補正対象書類名】明細書
【補正対象項目名】００１３
【補正方法】変更
【補正の内容】
【００１３】
前記径方向開口部は、周壁部の後方開口端から開口幅を狭めつつ軸方向に沿って延びることで、内部に配置したリール本体を外部に大きく露出することができる。
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１８
【補正方法】変更
【補正の内容】
【００１８】
図１に示すように、魚釣用スピニングリール１０は、剛性構造のリールボディ１２ａの側部開口１４を蓋体１２ｂで閉塞したリール本体１２を備え、この蓋体１２ｂの固定ネジ１６を取外すことで、内部空間Ｓを外部に露出させることができる。また、リールボディ１２ａの後端側には、切欠き１４ｂを形成し、この切欠き１４ｂを後部キャップ１８で閉じてあり、この後部キャップ１８の固定ネジ２０を取外すことにより、後端側でも内部空間Ｓを開閉することができる。この魚釣用スピニングリール１０は、通常と同様に、リールボディ１２ａから上方に延出する脚部（図示しない）を介して釣竿に取り付けられる。
【手続補正１３】
【補正対象書類名】明細書
【補正対象項目名】００３４
【補正方法】変更
【補正の内容】
【００３４】
図２および図３に拡大して示すように、この前方円筒部７６は、連結壁部６６の前端面に載置される装着壁部７８と、この装着壁部７８から前方に延びる円筒状壁８０とを有する。この円筒状壁８０は、装着壁部７８で後端側を閉じられ、前方凹部６２ｂを前方に開口する。
【手続補正１４】
【補正対象書類名】明細書
【補正対象項目名】００４２
【補正方法】変更
【補正の内容】
【００４２】
一方、周壁部６４の腕部７０，７０間に形成された２つの径方向開口部６３の内の一方は、弧状の連結片６９をその後端部に設けてあり、この周壁部６４と一体形成される部位によって、ベール７２および釣糸案内部７２ａ等のアンバランス部材に対するバランス化を図り、ロータ６０を滑らかに回転させることができる。リール本体１２から突出する軸受キャップ４４及びハンドル軸３４に連結するスタンド部材４２は、リール本体１２の前部８８にフランジ部が形成されていないので、従来のような形状的な制約が少なくなり、ロータ６０の後端部の極近接する位置まで、ロータ６０の凹部６２内にリール本体１２の前部８８を挿入することが可能となり、魚釣用スピニングリール１０の軸方向寸法を可級的に短くすることができる。
【手続補正１５】
【補正対象書類名】明細書
【補正対象項目名】００５３
【補正方法】変更
【補正の内容】
【００５３】
この魚釣用スピニングリール１０によると、ロータボディ６２の後方凹部６２ａ内に配置された駆動部６８が、リール本体１２内の駆動機構２４で駆動される中空駆動軸２２に一体的に連結され、この駆動部６８の周囲と、中空駆動軸２２を回転自在に支える前部８８の先端部との間に配置されたシール部材９８が、リール本体１２の前部８８内を密封することにより、異物の侵入する隙間がなくなり、リール本体１２の前部８８の防水および防塵が確実に図られる。これにより、このロータ６０の後方凹部６２ａの後方開口端を閉塞するための従来のフランジ部をリール本体１２に設ける必要がなく、リール本体１２の前部８８をフランジレス構造に形成し、魚釣用スピニングリールの軽量・小型化が可能となる。
【手続補正１６】
【補正対象書類名】明細書
【補正対象項目名】００５５
【補正方法】変更
【補正の内容】
【００５５】
また、ロータボディ６２の連結壁部６６に形成した貫通孔６５は、凹部８２と軸方向に整合することにより、凹部８２を介する空気の流れを阻害せず、更に、後方凹部６２ａあるいは径方向開口部６３を介して周壁部６４内に侵入した水等の異物をこれらの貫通孔６５および凹部８２を介して外部に排出することができ、この周壁部６４内に配置されたシール部材９８の腐食あるいは機能低下を防止することができる。
更に、ロータボディ６２の周壁部６４に形成された径方向開口部６３は、ロータボディ６３の前部から後部にわたって好適な通気性を形成し、水分や空気の内部滞留を確実に防止し、釣行後の水洗い等の整備作業を容易かつ簡単なものとする。例えば、後方凹部６２ａ内に浸入した海水、砂、塵埃等の異物を、外部からシャワー等で洗浄し、径方向開口部６３，７１および貫通孔５５，６５を介して容易に洗い流すことができ、これにより、通気性も良くなり、内部に水分、異物等の滞留もなくなり、腐食の誘発や機能部材の作動不良を防止できる。